(57)【特許請求の範囲】
【請求項１】
ユーザに操作されるユーザ端末と通信可能に接続され、前記ユーザ端末に懸賞に関する情報を表示させるための懸賞情報提供サーバであって、
前記懸賞に関する情報を表示する画像の挿入先を指定するＵＲＬを記憶する記憶手段と、
前記ユーザ端末において、前記記憶したＵＲＬの指定先が表示されることを条件として、前記懸賞に関する情報を要求する懸賞情報要求情報を受信する手段と、
前記受信する手段が前記懸賞情報要求情報を受信したことに応じて、前記懸賞情報要求情報を送信した前記ユーザ端末に前記懸賞に関する情報を送信する手段と、
前記受信する手段が前記懸賞情報要求情報を受信した回数をカウントする手段と、
前記カウントする手段がカウントした前記回数が所定値以上となった場合及び／又は所定時間経過後に前記受信する手段が前記懸賞情報要求情報を受信した場合に、当選又は落選のいずれかを抽選により決定する抽選手段と、を備え、
前記送信する手段は、前記抽選手段により、前記当選と決定された場合に、当選したユーザのユーザ端末に、前記懸賞に関する情報として、懸賞を付与することを告知する告知情報を送信する懸賞情報提供サーバ。
【請求項２】
前記懸賞を付与する期間、前記懸賞の内容及び前記懸賞の個数を設定する手段を、更に備え、
前記カウントする手段は、前記設定する手段が設定した前記期間内において、前記回数をカウントし、前記回数が前記所定値となった場合には、前記回数をクリアし、
前記設定する手段が設定した前記内容を含む前記告知情報は、前記設定する手段が設定した前記期間において、前記設定する手段が設定した前記個数が示す値の分だけ、生成される請求項１に記載の懸賞情報提供サーバ。
【請求項３】
前記ＵＲＬを記憶する前記記憶手段は、広告主が意図するＵＲＬを記憶する請求項１又は２に記載の懸賞情報提供サーバ。
【請求項４】
ユーザに操作されるユーザ端末と通信可能に接続され、前記ユーザ端末に懸賞に関する情報を表示させるための懸賞情報提供サーバが実行する懸賞情報提供方法であって、
前記懸賞に関する情報を表示する画像の挿入先を指定するＵＲＬを記憶するステップと、
前記ユーザ端末において、前記記憶したＵＲＬの指定先が表示されることを条件として、前記懸賞に関する情報を要求する懸賞情報要求情報を受信するステップと、
前記受信するステップで前記懸賞情報要求情報を受信したことに応じて、前記懸賞情報要求情報を送信した前記ユーザ端末に前記懸賞に関する情報を送信するステップと、
前記受信するステップで前記懸賞情報要求情報を受信した回数をカウントするステップと、
前記カウントするステップでカウントした前記回数が所定値以上となった場合及び／又は所定時間経過後に前記受信するステップで前記懸賞情報要求情報を受信した場合に、当選又は落選のいずれかを抽選により決定するステップと、を含み、
前記送信するステップでは、前記抽選により決定するステップにより、前記当選と決定された場合に、当選したユーザのユーザ端末に、前記懸賞に関する情報として、懸賞を付与することを告知する告知情報を送信する懸賞情報提供方法。
【請求項５】
ユーザに操作されるユーザ端末と通信可能に接続され、前記ユーザ端末に懸賞に関する情報を表示させるための懸賞情報提供サーバに、
前記懸賞に関する情報を表示する画像の挿入先を指定するＵＲＬを記憶するステップ、
前記ユーザ端末において、前記記憶したＵＲＬの指定先が表示されることを条件として、前記懸賞に関する情報を要求する懸賞情報要求情報を受信するステップ、
前記受信するステップで前記懸賞情報要求情報を受信したことに応じて、前記懸賞情報要求情報を送信した前記ユーザ端末に前記懸賞に関する情報を送信するステップ、
前記受信するステップで前記懸賞情報要求情報を受信した回数をカウントするステップ、
前記カウントするステップでカウントした前記回数が所定値以上となった場合及び／又は所定時間経過後に前記受信するステップで前記懸賞情報要求情報を受信した場合に、当選又は落選のいずれかを抽選により決定するステップ、を実行させ、
前記送信するステップでは、前記抽選により決定するステップにより、前記当選と決定された場合に、当選したユーザのユーザ端末に、前記懸賞に関する情報として、懸賞を付与することを告知する告知情報を送信させるための懸賞情報提供サーバ用プログラム。
【発明の詳細な説明】
【技術分野】
【０００１】
本発明は、懸賞情報提供サーバ、懸賞情報提供方法及び懸賞情報提供サーバ用プログラムに関する。
【背景技術】
【０００２】
従来、ウェブサイトを利用した広告の方法としては、広告主が、ウェブサイトを運営する者に、ウェブサイト上の一部にバナー広告やリンクの欄を設け、ユーザが閲覧することの対価として広告料を支払っていた。
【０００３】
また、ウェブサイトを利用した広告の方法としては、広告主が、アフィリエイト運営会社に対価を支払い、これによりアフィリエイト運営会社と提携する者が、運営するウェブサイト上にバナー広告やリンクを掲載し、ユーザのクリックや特定の役務の契約をすることに対する対価を受け取っていた。
【０００４】
このような広告を行う装置として、購入者及び販売店舗を示す購入情報を取得する購入情報取得部と、アフィリエイト・リンクの掲載者及びリンク先店舗と、該リンクをクリックしたユーザとが関連付けられたクリック情報を記憶する所定の記憶部から取得した、購入者に対応する１以上のクリック情報に基づいて、該購入者によるアフィリエイト・リンクのクリックを示すクリック履歴を特定する履歴特定部と、販売店舗からアフィリエイト料を受け取る１以上の掲載者と各掲載者に支払われるアフィリエイト料とをクリック履歴に基づいて決定する決定部とを備えるアフィリエイト管理装置が提案されている（特許文献１参照）。
【０００５】
特許文献１のアフィリエイト管理装置によれば、アフィリエイト料を支払う店舗及びアフィリエイト料を受け取る広告掲載者の双方に一定の満足感を与えることができる。
【先行技術文献】
【特許文献】
【０００６】
【特許文献１】特開２０１３−２５７０８号公報
【発明の概要】
【発明が解決しようとする課題】
【０００７】
しかしながら、特許文献１のアフィリエイト管理装置では、ユーザである購入者によりリンクがクリックされることで、アフィリエイト料が掲載者に支払われるものの、ユーザはリンクをクリックし、リンク先のウェブサイトを閲覧しているにも関わらす、何の利益を得ることもできない。
このため、近年では、ユーザがリンクをクリックしない傾向があり、広告の効果が低下している。
【０００８】
本発明は、ウェブサイトを閲覧したユーザに懸賞を提供することで、広告の効果を向上できる懸賞情報提供サーバ、懸賞情報提供方法及び懸賞情報提供サーバ用プログラムを提供することを目的とする。
【課題を解決するための手段】
【０００９】
本発明では、以下のような解決手段を提供する。
【００１０】
第１の特徴に係る発明は、ユーザに操作されるユーザ端末と通信可能に接続され、前記ユーザ端末に懸賞に関する情報を表示させるための懸賞情報提供サーバであって、
前記懸賞に関する情報を表示する画像の挿入先を指定するＵＲＬを記憶する記憶手段と、
前記ユーザ端末において、前記記憶したＵＲＬの指定先が表示されることを条件として、前記懸賞に関する情報を要求する懸賞情報要求情報を受信する手段と、
前記受信する手段が前記懸賞情報要求情報を受信したことに応じて、前記懸賞情報要求情報を送信した前記ユーザ端末に前記懸賞に関する情報を送信する手段と、
前記受信する手段が前記懸賞情報要求情報を受信した回数をカウントする手段と、
前記カウントする手段がカウントした前記回数が所定値以上となった場合及び／又は所定時間経過後に前記受信する手段が前記懸賞情報要求情報を受信した場合に、当選又は落選のいずれかを抽選により決定する抽選手段と、を備え、
前記抽選手段により、前記当選と決定された場合に、当選したユーザのユーザ端末に懸賞を付与することを告知する告知情報を送信する懸賞情報提供サーバを提供する。
【００１１】
第１の特徴に係る発明によれば、ユーザに操作されるユーザ端末と通信可能に接続され、ユーザ端末に懸賞に関する情報を表示させるための懸賞情報提供サーバは、前記懸賞に関する情報を表示する画像の挿入先を指定するＵＲＬを記憶し、ユーザ端末において、前記記憶したＵＲＬの指定先が表示されることを条件として、懸賞に関する情報を要求する懸賞情報要求情報を受信し、懸賞情報要求情報を受信したことに応じて、懸賞情報要求情報を送信したユーザ端末に懸賞に関する情報を送信する。
また、懸賞情報提供サーバは、懸賞情報要求情報を受信した回数をカウントし、この回数が所定値以上となった場合及び／又は所定時間経過後に懸賞情報要求情報を受信した場合に、当選又は落選のいずれかを抽選により決定し、前記当選と決定された場合に、当選したユーザのユーザ端末に懸賞を付与することを告知する告知情報を送信する。
【００１２】
これにより、所定のウェブサイトを、所定回数以上目に閲覧したユーザ及び／又は所定時間経過後に閲覧したユーザに、抽選結果に応じて懸賞を提供できる。
ここで、本発明における「所定のウェブサイト」とは、例えば、懸賞情報提供サーバを運営する者に、広告を依頼した広告主の意図するウェブサイトである。また、本発明における「懸賞情報」とは、例えば、所定のウェブサイトを所定回数以上目に閲覧した場合及び／又は所定時間経過後に閲覧した場合には、抽選結果に応じて懸賞が付与される旨を示す表示を、ユーザ端末において表示するための情報である。
また、これにより、例えば、当選確率を比較的低く設定し、所定値も比較的小さく設定することで、抽選を行わない場合に比べ、懸賞の個数を変えることなく、ユーザに懸賞を付与するチャンスの回数を増加させることができる。そして、懸賞が付与されるチャンスの回数が増えることで、ユーザのウェブサイトを閲覧しようとする意欲の向上が期待でき、広告の効果をより向上できる懸賞情報提供サーバを提供できる。
【００１３】
運営する者や広告主は、例えば、所定のウェブサイトを、最低限閲覧して欲しい回数が明確な場合にはこの回数を所定値として設定し、例えば、比較的短い期間で閲覧回数が所定値に達してしまうことが予想されるときには所定時間を設定することができる。また、運営する者や広告主は、例えば、閲覧回数が予測できないときには、所定値と所定時間の両方を設定することもできる。
【００１４】
よって、ユーザは、所定回数以上目や所定時間経過後に、例えば、広告主が意図する所定のウェブサイトを閲覧し、懸賞を得るために、度々、当該ウェブサイトを閲覧するので、広告主の役務について認知することができる。
したがって、ウェブサイトを閲覧したユーザに懸賞を提供することで、広告の効果を向上できる懸賞情報提供サーバを提供できる。
【００１５】
第２の特徴に係る発明は、第１の特徴に係る発明であって、
前記懸賞を付与する期間、前記懸賞の内容及び前記懸賞の個数を設定する手段を、更に備え、
前記カウントする手段は、前記設定する手段が設定した前記期間内において、前記回数をカウントし、前記回数が前記所定値となった場合には、前記回数をクリアし、
前記設定する手段が設定した前記内容を含む前記告知情報は、前記設定する手段が設定した前記期間において、前記設定する手段が設定した前記個数が示す値の分だけ、生成される懸賞情報提供サーバを提供する。
【００１６】
第２の特徴に係る発明によれば、懸賞情報提供サーバは、懸賞を付与する期間、懸賞の内容及び懸賞の個数を設定し、設定した期間内において、懸賞情報要求情報を受信した回数をカウントし、当該回数が所定値となった場合には、当該回数をクリアする。
そして、懸賞情報提供サーバは、設定した期間において、設定した個数が示す値の分だけ、設定した内容を含む告知情報を生成する。
【００１７】
これにより、ユーザは、設定された期間内であり、懸賞が残っていれば、継続的にウェブサイトを閲覧することで、懸賞を受け取る機会を得ることができる。
したがって、ウェブサイトを閲覧したユーザに懸賞を何度も提供することで、広告の効果をより向上できる懸賞情報提供サーバを提供できる。
【００１８】
第３の特徴に係る発明は、第１又は第２の特徴に係る発明であって、
前記ＵＲＬを記憶する記憶手段は、広告主が意図するＵＲＬを記憶する懸賞情報提供サーバを提供する。
【００１９】
第３の特徴に係る発明によれば、懸賞情報提供サーバは、広告主が意図するＵＲＬを記憶する。
【００２１】
これら上記の全ての発明は、懸賞情報提供サーバのカテゴリであるが、方法、プログラムのカテゴリであっても、そのカテゴリに応じた同様の作用、効果を奏する。
【発明の効果】
【００２２】
本発明によれば、ウェブサイトを閲覧したユーザに懸賞を提供することで、広告の効果を向上できる懸賞情報提供サーバ、懸賞情報提供方法及び懸賞情報提供サーバ用プログラムを提供することが可能となる。
【図面の簡単な説明】
【００２３】
【図１】懸賞情報提供システム１の概要を説明するための概念図である。
【図２】懸賞情報提供システム１の全体構成図である。
【図３】懸賞情報提供サーバ１０の機能ブロック図である。
【図４】懸賞情報提供サーバ１０が実行する懸賞情報提供処理のフローチャートである。
【図５】懸賞情報提供サーバ１０が記憶する広告主要望データＤＢ２４を説明する図である。
【図６】懸賞情報に基づき、ユーザ端末２００に表示されるウェブサイト４００及び懸賞情報画面５００の画面イメージ図である。
【図７】告知情報に基づき、ユーザ端末２００に表示されるウェブサイト４００及び告知情報画面５０１の画面イメージ図である。
【発明を実施するための形態】
【００２４】
以下、本発明を実施するための最良の形態について図を参照しながら説明する。なお、これはあくまでも一例であって、本発明の技術的範囲はこれに限られるものではない。
【００２５】
本発明の概要は、懸賞情報提供サーバは、ユーザに操作されるユーザ端末と通信可能に接続され、ユーザ端末に懸賞に関する情報を表示させるための懸賞情報を送信する懸賞情報提供サーバは、ユーザ端末において、所定のウェブサイトが表示されるときに、懸賞情報を要求する懸賞情報要求情報を受信し、懸賞情報要求情報を受信したことに応じて、懸賞情報要求情報を送信したユーザ端末に懸賞情報を送信する。
また、懸賞情報提供サーバは、懸賞情報要求情報を受信した回数をカウントし、この回数が所定値となった場合及び／又は所定時間経過後に懸賞情報要求情報を受信した場合に、懸賞を付与することを告知する告知情報を生成し、この場合には、懸賞情報に代えて、懸賞情報要求情報を送信したユーザ端末に、告知情報を送信する。
【００２６】
懸賞情報提供サーバは、一部のユーザがウェブサイトを閲覧し、配当を受け取る懸賞情報提供システムに適用される。
【００２７】
［懸賞情報提供システムの概要］
図１に基づいて、本発明の好適な実施形態である懸賞情報提供システム１の概要について説明する。図１は、懸賞情報提供システム１の概要を説明するための概念図である。
【００２８】
懸賞情報提供システム１は、所定期間において、所定のウェブサイトを所定回数目に閲覧したユーザに懸賞を付与する懸賞イベントを行うことで、所定のウェブサイトにおける広告効果を向上させるものである。
本実施形態において、「所定のウェブサイト」は、広告主が意図するウェブサイトである。また、本実施形態において、「所定期間」、「所定回数目」及び「所定時間」は、広告主の依頼に基づき懸賞情報提供サーバで設定するが、これに限らず、任意に設定してもよい。
また、所定のウェブサイトには、懸賞イベントを開催中であることを示す懸賞情報や、懸賞に当選したことを示す告知情報を表示するためのバナーが配置されている。
【００２９】
懸賞情報提供システム１を運営者は、例えば、運営者が管理するウェブサイトにおいて、簡易な登録情報（例えば、電子メールのアドレス等）を受け付けたユーザや、マスメディア（紙面、ラジオ、テレビ等）やＳＮＳ（Ｓｏｃｉａｌ  Ｎｅｔｗｏｒｋｉｎｇ  Ｓｅｒｖｉｃｅ）を通して与えた情報（例えば、文字、音声、ＱＲコード等による運営者が管理するウェブサイトのアドレス）を通して、簡易な登録情報を受け付けたユーザに、懸賞イベントを行うことを報知する。懸賞イベントを行う報知は、登録情報を受け付けた電子メール、運営者が管理するウェブサイト、マスメディア等の任意の手段でユーザに、懸賞イベントの期間や、懸賞が付与される所定のウェブサイトのアドレスが報知される。
【００３０】
懸賞イベントにおいて、ユーザは、ユーザ端末２００において、所定のウェブサイトへのリンクをクリックする。これにより、ユーザ端末２００は、当該ウェブサイトを表示するための情報（例えば、ＨＴＭＬ（ＨｙｐｅｒＴｅｘｔ  Ｍａｒｋｕｐ  Ｌａｎｇｕａｇｅ））を読み込む。
そして、図１に示すように、ユーザ端末２００は、読み込んだ情報に基づき、所定のウェブサイトにおいて懸賞情報を表示するための懸賞情報要求情報を、懸賞情報提供サーバ２０に、送信する。
【００３１】
懸賞情報提供サーバ１０は、ユーザ端末２００から懸賞情報要求情報を受信し、懸賞情報要求情報を受信したことに応じて、懸賞情報要求情報を送信したユーザ端末２００に懸賞情報を送信する。
ユーザ端末２００は、懸賞情報提供サーバ１０から受信した懸賞情報の表示画面である懸賞情報画面５００を表示部（例えば、ディスプレイ等）に表示する。
【００３２】
また、懸賞情報提供サーバ１０は、懸賞情報要求情報を受信した回数をカウントし、この回数が所定値（例えば、２００回）となった場合及び／又は所定時間（例えば、懸賞イベント開始から７２時間）経過後に、懸賞を付与することを告知する告知情報を生成し、この場合には、懸賞情報に代えて、懸賞情報要求情報を送信したユーザ端末２００に、告知情報を送信する。
ユーザ端末２００は、懸賞情報提供サーバ１０から受信した告知情報の表示画面である告知情報画面５０１を表示部（例えば、ディスプレイ等）に表示する。
ユーザは、ユーザ端末２００において、告知情報画面５０１をクリックすることで遷移する、懸賞情報提供システム１を運営者が管理するウェブサイトにおいて、名前や住所等を入力することで、懸賞を受け取ることができる。
【００３３】
このような懸賞情報提供サーバ１０によれば、ユーザは、所定回数目及び／又は所定時間経過後に、例えば、広告主が意図する所定のウェブサイトを閲覧し、懸賞を得るために、度々、当該ウェブサイトを閲覧するので、広告主の役務について認知することができる。
したがって、ウェブサイトを閲覧したユーザに懸賞を提供することで、広告の効果を向上できる懸賞情報提供サーバを提供できる。
【００３４】
［懸賞情報提供システムのシステム構成］
図２は、懸賞情報提供システム１のシステム構成を示す。懸賞情報提供システム１は、懸賞情報提供サーバ１０と、少なくとも１台のユーザ端末２００と、少なくとも１台の広告主サーバ２５０と、インターネット網などの公衆回線網３から構成される。なお、懸賞情報提供サーバ１０は、ローカルエリアネットワークにより、ユーザ端末２００及び広告主サーバ２５０と通信可能に接続されていてもよい。さらに、ローカルエリアネットワークが公衆回線網３と通信可能に接続されて、懸賞情報提供サーバ１０が、ユーザ端末２００及び広告主サーバ２５０に通信可能に接続されていてよい。
【００３５】
ユーザ端末２００及び広告主サーバ２５０は、ソフトウェア的又はハードウェア的な設定により、後述する機能を備える情報機器である。例えば、ユーザ端末２００及び広告主サーバ２５０は、パソコン、携帯電話、スマートフォン、スレート端末、表示機能付き電話機、ネットブック端末、電子書籍端末等の一般的な情報機器であってよい。
【００３６】
［各機能の説明］
図３に基づいて、各装置の構成について説明する。図３は、懸賞情報提供サーバ１０の機能ブロック図である。
懸賞情報提供サーバ１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、データ通信部１３として、ユーザ端末２００及び広告主サーバ２５０と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。加えて、懸賞情報提供サーバ１０は、データやファイルを記憶するデータ記憶部１２として、ハードディスクや半導体メモリ、記録媒体、メモリカード等による、データのストレージ部を備える。データ記憶部１２は、懸賞情報提供プログラム１００や広告主要望データデータベース（以下、ＤＢとも言う）２４（図５参照）を記憶する。
【００３７】
懸賞情報提供サーバ１０において、制御部１１が懸賞情報提供プログラム１００を読み込むことで、データ記憶部１２及びデータ通信部１３と協働して、広告主要望取得モジュール２１を実現する。また、懸賞情報提供サーバ１０において、制御部１１が懸賞情報提供プログラム１００を読み込むことで、データ記憶部１２と協働して、懸賞設定モジュール２２、乱数抽選モジュール２５及び懸賞・告知情報生成モジュール２６を実現する。また、懸賞情報提供サーバ１０において、制御部１１が懸賞情報提供プログラム１００を読み込むことで、データ通信部１３と協働して、懸賞情報要求情報受信モジュール２３及び懸賞・告知情報送信モジュール２７を実現する。また、懸賞情報提供サーバ１０において、制御部１１が懸賞情報提供プログラム１００を読み込むことで、カウントモジュール２４を実現する。
【００３８】
ユーザ端末２００は、懸賞情報提供サーバ１０と同様に、制御部、データ通信部及びデータ記憶部を備え、更に、通常のディスプレイ、タッチパネル等で構成され、ウェブページを表示する表示部、通常のキーボード、マウス、タッチパネル等で構成され、ユーザの操作を受け付ける入力部を備える。ユーザ端末２００は、所定のプログラムを読み込み、これらのハードウェアと協働して、ウェブサイトやウェブサイトに挿入されたバナーを表示するモジュールを実現する。
【００３９】
広告主サーバ２５０は、懸賞情報提供サーバ１０と同様に、制御部、データ通信部及びデータ記憶部を備える。広告主サーバ２５０は、所定のプログラムを読み込み、これらのハードウェアと協働して、ユーザ端末２００からの要求に応じて、ウェブサイトを表示するための情報をユーザ端末２００に送信するモジュールを実現する。
また、広告主サーバ２５０は、上記ハードウェアと協働して、懸賞を付与する期間、懸賞を付与するまでの閲覧回数、懸賞を付与するまでの所定時間、懸賞の内容及び懸賞の個数及び懸賞情報や告知情報を表示するバナーを挿入するウェブサイトのアドレスを示す広告主要望情報を、懸賞情報提供サーバ１０に送信するモジュールを実現する。
【００４０】
［懸賞情報提供処理］
図４は、懸賞情報提供サーバ１０が実行する懸賞情報提供処理のフローチャートである。広告主要望取得モジュール２１は、広告主サーバ２５０から、懸賞を付与する期間、懸賞を付与するまでの閲覧回数、懸賞の内容及び懸賞の個数及び懸賞情報や告知情報を表示するバナーを挿入するウェブサイトのアドレスを示す広告主要望情報を受信し、データ記憶部１２の広告主要望データＤＢ２４に記憶する（ステップＳ１０）。
【００４１】
図５は、懸賞情報提供サーバ１０が記憶する広告主要望データＤＢ２４を説明する図である。広告主要望データＤＢ２４は、広告主を識別する広告主ＩＤに、懸賞情報や告知情報を表示するバナーを挿入するウェブサイト（広告対象ウェブサイト）のＵＲＬ（Ｕｎｉｆｏｒｍ  Ｒｅｓｏｕｒｃｅ  Ｌｏｃａｔｏｒ）と、懸賞を付与する期間と、懸賞を付与するまでの閲覧回数と、懸賞を付与するまでの所定時間と、懸賞の内容と、懸賞の個数と、が対応付けられて、データ記憶部１２に記憶されている。なお、本実施形態において、「懸賞を付与するまでの所定時間」は、懸賞イベントの開始からの所定時間であるが、これに限らず、任意のタイミング（例えば、広告主サーバ２５０から受信した情報に示される所定の日時等）からの所定時間でもよく、また、時間に限らず、日数、月数等で規定してもよい。また、本実施形態において、「懸賞を付与する期間」とは、懸賞イベントを開催する期間であり、日数に限らず、例えば、時間で規定してもよい。
【００４２】
図４にもどって、懸賞設定モジュール２２は、広告主要望データＤＢ２４を参照して、懸賞イベントにおける、所定のウェブサイトとなる懸賞情報や告知情報を表示するバナーを挿入するウェブサイト（広告対象ウェブサイト）、懸賞を付与する期間、懸賞を付与するまでの閲覧回数、懸賞を付与するまでの所定時間、懸賞の内容及び懸賞の個数を設定する（ステップＳ１１）。
【００４３】
懸賞情報要求情報受信モジュール２３は、ステップＳ１１で懸賞設定モジュール２２が設定した懸賞を付与する期間において、ユーザ端末において、所定のウェブサイトが表示されるときに、懸賞情報を要求する懸賞情報要求情報を受信する（ステップＳ１２）。
【００４４】
カウントモジュール２４は、ステップＳ１２で懸賞情報要求情報受信モジュール２３が懸賞情報要求情報を受信した場合には、制御部１１におけるＲＡＭの所定領域に記憶されたアクセス回数カウンタに“１”加算する（ステップＳ１３）。
アクセス回数カウンタは、広告主要望データＤＢ２４に記憶された広告対象ウェブサイト毎に設けられている。
【００４５】
懸賞・告知情報生成モジュール２６は、ステップＳ１３で加算したアクセス回数カウンタのカウンタ値が、ステップＳ１１で懸賞設定モジュール２２が設定した懸賞を付与するまでの閲覧回数以上（所定回数であり、例えば、２００回）か否かを判定する（ステップＳ１４）。懸賞・告知情報生成モジュール２６は、カウンタ値が閲覧回数以上でないと判定した場合にはステップＳ１５に処理を移し、カウンタ値が閲覧回数以上であると判定した場合にはステップＳ１７に処理を移す。
【００４６】
懸賞・告知情報生成モジュール２６は、ステップＳ１２で懸賞情報要求情報受信モジュール２３が懸賞情報要求情報を受信したことに応じて、ユーザ端末２００に懸賞に関する情報を表示させるための懸賞情報を生成する（ステップＳ１５）。
【００４７】
懸賞・告知情報送信モジュール２７は、ステップＳ１５で懸賞・告知情報生成モジュール２６が生成した懸賞情報を、懸賞情報要求情報を送信したユーザ端末２００に送信する（ステップＳ１６）。
【００４８】
図６は、懸賞情報に基づき、ユーザ端末２００に表示されるウェブサイト４００及び懸賞情報画面５００の画面イメージ図である。
ユーザ端末２００の制御部は、広告主サーバ２５０から送信されたウェブサイトを表示するための情報に基づき、表示部においてウェブサイト４００を表示する。また、ユーザ端末２００の制御部は、懸賞情報提供サーバ１０から送信された懸賞情報に基づき、表示部において、ウェブサイト４００に懸賞情報画面５００を挿入して表示する。
懸賞情報画面５００は、ユーザに懸賞イベントが開催されていることを報知する画面であり、懸賞を受け取るための条件（図６に示す例では、「２００番目にアクセス」）や、当選した場合に表示されるマーク（図６に示す例では、手で何かを摘まむ態様のアイコンや「ｔｏｔｔａ」の文字表示）が表示される。
なお、当選した場合に表示されるマークは、予め懸賞情報画面５００において表示しておけば、懸賞イベント中に変更してもよい。
【００４９】
図４に戻って、懸賞・告知情報生成モジュール２６は、懸賞イベント開始からの時間が、ステップＳ１１で懸賞設定モジュール２２が設定した懸賞を付与するまでの所定時間（例えば、７２時間）経過したか否かを判定する（ステップＳ１７）。懸賞・告知情報生成モジュール２６は、所定時間経過したと判定した場合にはステップＳ１８に処理を移し、所定時間経過していないと判定した場合にはステップＳ１５に処理を移す。
なお、本実施形態では、懸賞情報提供サーバ１０は、ステップＳ１４及びステップＳ１７の処理を実行するが、これに限らず、ステップＳ１４又はステップＳ１７のいずれかの処理のみを実行してもよい。
【００５０】
乱数抽選モジュール２５は、当選又は落選のいずれかを乱数抽選により決定する（ステップＳ１８）。乱数抽選モジュール２５は、当選と決定した場合にはステップＳ１９に処理を移し、落選と決定した場合にはステップＳ１５に処理を移す。
【００５１】
懸賞・告知情報生成モジュール２６は、ステップＳ１３でカウントモジュール２４が加算したアクセス回数カウンタのカウンタ値が所定値（例えば、２００）となったので、懸賞を付与することを告知する告知情報を生成する（ステップＳ１９）。
【００５２】
懸賞・告知情報送信モジュール２７は、ステップＳ１９で懸賞・告知情報生成モジュール２６が生成した告知情報を、懸賞情報要求情報を送信したユーザ端末２００に送信する（ステップＳ２０）。
即ち、懸賞情報提供サーバ１０は、懸賞情報要求情報を受信した回数をカウントし、この回数が所定値となった場合に、懸賞を付与することを告知する告知情報を生成し、この場合には、懸賞情報に代えて、懸賞情報要求情報を送信したユーザ端末２００に、告知情報を送信する。
【００５３】
図７は、告知情報に基づき、ユーザ端末２００に表示されるウェブサイト４００及び告知情報画面５０１の画面イメージ図である。
ユーザ端末２００の制御部は、広告主サーバ２５０から送信されたウェブサイトを表示するための情報に基づき、表示部においてウェブサイト４００を表示する。また、ユーザ端末２００の制御部は、懸賞情報提供サーバ１０から送信された告知情報に基づき、表示部において、ウェブサイト４００に告知情報画面５０１を挿入して表示する。
告知情報画面５０１は、ユーザに懸賞に当選したことを告知する画面であり、予め懸賞情報画面５００（図６参照）で表示していたマーク（図７に示す例では、手で何かを摘まむ態様のアイコンや「ｔｏｔｔａ」の文字表示）が大きく表示され、このマークをクリックすることを促す文字を表示する。
【００５４】
例えば、告知情報画面５０１のマークは、懸賞情報提供システム１の運営者が管理するウェブサイトへのリンクであり、ユーザは、このウェブサイトにおいて、名前、住所、性別、年齢等を入力することで、懸賞を受け取ることができる。
このようなユーザは、懸賞情報提供システム１の運営者により、登録され、例えば、次回の懸賞イベントが報知されたり、懸賞の当選回数に応じたランクが付与され、ＳＮＳを通して、このランクが他のユーザに知らされたりする。
このように、あるユーザが、広告主が意図するウェブサイトにおいて、当選を示すマークを見つけ懸賞を受けたことを、ＳＮＳ等において公表することで、より高い宣伝効果を得ることができる。
【００５５】
図４に戻って、カウントモジュール２４は、制御部１１におけるＲＡＭの所定領域に記憶されたアクセス回数カウンタのカウンタ値をクリアする（ステップＳ２１）。
これにより、再び、ユーザ端末２００から懸賞情報要求情報を受信した回数のカウントが開始される。
【００５６】
懸賞・告知情報生成モジュール２６は、ステップＳ１１で懸賞設定モジュール２２が設定した懸賞を付与する期間が終了した場合又は懸賞の個数分の懸賞が付与された場合には、懸賞イベントが終了したことを示す懸賞イベント終了情報を生成してもよい。
また、この場合、懸賞・告知情報送信モジュール２７は、懸賞・告知情報生成モジュール２６が生成した懸賞イベント終了情報を、懸賞情報要求情報を送信したユーザ端末２００に送信する。
ユーザ端末２０の制御部は、懸賞情報提供サーバ１０から送信された懸賞イベント終了情報に基づき、表示部において、ウェブサイト４００に懸賞イベント終了情報画面を挿入して表示する。
【００５７】
懸賞設定モジュール２２は、ステップＳ１１で設定した懸賞を付与する所定期間が経過したか否かを判定する（ステップＳ２２）。懸賞設定モジュール２２は、所定期間が経過したと判定した場合には本処理を終了し、所定期間が経過していないと判定した場合にはステップＳ１２に処理を移す。また、懸賞設定モジュール２２は、ステップＳ１１で設定した懸賞の個数分の懸賞が付与された場合にも本処理を終了する。
【００５８】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５９】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６０】
１０  懸賞情報提供サーバ、２００  ユーザ端末、２５０  広告主サーバ
【図１】
0006497866.tif 000002
【図２】
0006497866.tif 000003
【図３】
0006497866.tif 000004
【図４】
0006497866.tif 000005
【図５】
0006497866.tif 000006
【図６】
0006497866.tif 000007
【図７】
0006497866.tif 000008